(57)【要約】      （修正有）【課題】竹枝束が磨耗や損傷によって使用不能となった場合でも、新たに用意した竹枝束に操作柄を付け替え可能にする。【解決手段】掃除具を操作する操作柄３が着脱自在に取り付け可能な筒状部材１からなる着脱式清掃器材Ａであって、筒状部材１に、操作柄３の先端に螺合可能な雌型螺条部２を設ける。【選択図】図１
0003139492.tif 000002
【実用新案登録請求の範囲】
【請求項１】
長箒、熊手などの長尺の操作柄を取り付ける掃除具に、前記操作柄に着脱自在に取り付け可能な筒状部材を装備する着脱式清掃器材であって、
該筒状部材が前記操作柄を挿入する開口端部内周面に前記操作柄の先端を着脱可能に螺合する雌型螺条部が形設していると共に、前記掃除具の脱落防止ピンを挿通させるピン挿通孔が穿設されてなり、
前記操作柄が上記雌型螺条部に装着可能な雄型螺条部を先端に形設した筒状体からなり、この筒状体は複数の筒状体構成部材を収納延伸可能に構成してなることを特徴とする着脱式清掃器材。
【請求項２】
前記長箒にあっては、前記筒状部材が前記操作柄を挿入する開口端部にフランジを一体に形設していると共に、前記筒状体に形成される脱落防止ピンを挿通させるピン挿通孔が、間隔を置いてかつ交差直交する形に穿設されていることを特徴とする請求項１記載の着脱式清掃器材。
【請求項３】
前記熊手にあっては、前記筒状部材が前記操作柄を挿入する開口端部にリング状の突起を一体に形設していると共に、先端部に向けて切り欠いてテーパ部を形成し、前記筒状体に形成される脱落防止ピンを挿通させるピン挿通孔が、前記テーパ部の先端方向に穿設されていることを特徴とする請求項１記載の着脱式清掃器材。
【考案の詳細な説明】
【技術分野】
【０００１】
本考案は、竹箒（長箒）や熊手などの掃除具に取り付ける操作柄に、伸縮性軽量ポールを使用した着脱式清掃器材に関する。
【背景技術】
【０００２】
庭、道路、公園などの落葉やごみなどの掃除には、一般に竹箒や熊手といった掃除具が用いられる。これらのうち、竹箒は、大凡次の手順にて組み付けられる。まず、操作柄を中心として、これの一端部に竹枝を針金で取り付けることにより、骨組み部を形成する。
【０００３】
次に、この骨組み部の外周に骨組み部を形成している竹枝よりも細めの竹枝を、針金を用いて千鳥格子状に編み込んでいく。そして、その外側に、やや太目の竹枝を千鳥格子状に編み込んでいき、所定長さおよび太さの竹枝束を前記操作柄の周りに構成する（例えば、特許文献１参照）。
【特許文献１】特開平１０‐３２３３１２号公報
【考案の開示】
【考案が解決しようとする課題】
【０００４】
しかしながら、従来の竹帚の製造工程では、当初から長めの操作柄を中心として、これの周りに竹枝を、針金を用いて編み込んでいく必要があるため、その操作柄が組み付け作業の邪魔になるほか、特に編み込みに熟練を要し、かつ手間が掛かるという不都合があった。
【０００５】
また、一般に、操作柄の損傷に比べ竹枝の損傷、磨耗による劣化が著しく、操作柄に使用上は何ら問題ないにも拘らず、竹箒としての利用が不可能になるため、その竹枝束と共に操作柄がそのまま廃棄されている。
本考案はかかる従来の問題点に着目してなされたものであり、竹枝束が磨耗や損傷によって使用不能となった場合でも、新たに用意した竹枝束に、伸縮性軽量ポールを使用した操作柄を付け替えることにより、その操作柄の操作による掃除を実施可能にする着脱式清掃器材を提供することを目的とする。
【課題を解決するための手段】
【０００６】
前記目的達成のために、本考案にかかる着脱式清掃器材は、長箒、熊手などの長尺の操作柄を取り付ける掃除具に、前記操作柄に着脱自在に取り付け可能な筒状部材を装備する着脱式清掃器材であって、該筒状部材が前記操作柄を挿入する開口端部にフランジを一体に形設していると共に、前記開口端部内周面には前記操作柄の先端を着脱可能に螺合する雌型螺条部が設けられてなり、前記操作柄が上記雌型螺条部に装着可能な雄型螺旋を先端に形設した筒状体からなり、この筒状体は複数の筒状体構成部材を収納延伸可能に構成してなることを特徴とする。
【０００７】
この構成により、掃除によって磨耗または損傷した竹枝束などの掃除具が使用不可能になった場合等に、廃棄する竹枝束から操作柄を螺合解除して、この操作柄を新たに用意した掃除具に装着することができる。従って、操作柄は、必要に応じ寿命内において繰り返し再利用することができる。
【０００８】
また、必要に応じて長さや形状が異なる操作柄を選んで竹枝束に付け替えて使用することもできる。さらに、前記操作柄を収納延伸自在な筒状体とすることによって、掃除対象の場所や作業者の身長などに応じて長さ調整を簡単に行うことことができ、何人も掃除を楽な姿勢で実施することができる。
また、前記フランジは、竹枝束の上端を揃える役目を持つと共に、竹枝の脱抜を規制し、さらに装着量規制部と共に筒状部材の剛性強化を図ることができる。
【０００９】
また、本考案にかかる着脱式清掃器材は、前記筒状部材に、前記長箒、熊手などの掃除具の脱落防止ピンを挿通させるピン挿通孔が、間隔を置いてかつ交差直交する形に穿設されていることを特徴とする。
この構成により、掃除作業中に掃除具とこれを取り付けている筒状部材との間に緩みが生じるなどして、掃除具に対し筒状部材およびこの筒状部材に装着された操作柄が回転または移動することを、確実に防止することができる。
【考案の効果】
【００１０】
本考案によれば、竹枝束や熊手本体などが磨耗や損傷によって使用不能となった場合でも、新たに用意した竹枝束や熊手本体に操作柄を付け替えることにより、この操作柄の使用による掃除を再び実施することができる。また、任意に選んだ形状、サイズの操作柄を竹枝束に付け替えて用いることもできるという効果を有する。
さらに、前記操作柄を収納延伸自在な筒状体とすることによって、掃除対象の場所や作業者の身長などに応じて長さ調整を簡単に行うことことができ、何人も掃除を楽な姿勢で実施することができる。加えて、前記フランジが、竹枝束の上端を揃えると共に、竹枝の脱抜を規制し、装着量規制部と共に筒状部材の剛性強化を図ることができる。
【考案を実施するための最良の形態】
【００１１】
以下に、本考案の実施の形態を、図面を参照しながら説明する。
本考案の実施形態による着脱式清掃器材は、基本的に、竹枝束などの掃除具を操作する操作柄が着脱自在に取り付け可能な筒状部材からなる着脱式清掃器材であって、前記筒状部材に、前記操作柄の先端に螺合可能な雌型螺条部を設けた構成である。
【００１２】
この構成によって、掃除によって磨耗または損傷した竹枝束などの掃除具が使用不可能になった場合でも、その竹枝束から操作柄のみを分離して、この操作柄を新たに用意した掃除具に装着して、再利用することができる。
【００１３】
図１は、本実施の形態による着脱式清掃器材の断面図、図２は、この着脱式清掃器材の正面図、図３は、その着脱式清掃器材と竹枝束（掃除具）との一体品を示す正面図、図４は、その着脱式清掃器材を用いて製造された竹帚の正面図、図５は、本実施の形態による着脱式清掃器材の他の例の断面図、図６は、図５における着脱式清掃器材の正面図、図７は図５における着脱式清掃器材と熊手部材との一体品を示す正面図、図８は、図５における着脱式清掃器材を用いて製造された熊手の正面図である。
【００１４】
図１〜図４において、本実施の形態による着脱式清掃器材Ａは、掃除具としての竹帚を形成する竹枝束（掃除具）に取り付けられる筒状部材１からなる。この筒状部材１は、硬めの合成樹脂などからなり、一端部である開口端部の内周面には所定幅（深さ）Ｌに亘って雌型螺条部２が形成されている。
【００１５】
この雌型螺条部２には、前記一端部の開口から螺入される操作柄３の先端が螺合可能となっている。従って、この操作柄３の先端部外周には、図１に示すように、前記雌型螺条部２に螺合可能な雄型螺条部４が形成されている。なお、操作柄３は伸縮性軽量ポールを使用して形成されており、例えば軽量のアルミパイプが好適に用いられる。
前記筒状部材１内には、前記操作柄３の装着量を規制する装着量規制部３が一体に設けられている。この装着量規制部３は、例えば竹の節のような形態をなし、筒状部材１内を塞ぐように設けられている。
【００１６】
また、筒状部材１における前記一端部の外周には、外径方向に突出するフランジ１ａが一体に設けられている。このフランジ１ａは、後述のように竹枝束６の上端を揃える役目を持つと共に、竹枝束６の竹枝の脱抜を規制し、さらに装着量規制部５と共に筒状部材１の剛性強化を図っている。
【００１７】
前記筒状部材１には、複数箇所に筒状部材１に対して竹枝束６を脱落不可能に固定するための脱落防止ピン（図示しない）のピン挿通孔７が、内外に貫通するように設けられている。これらのピン挿通孔７は、間隔を置いてかつ交差直交する形で筒状部材１に穿設されている。従って、これらのピン挿通孔７および竹枝束６に脱落防止ピンを同時に通して保持させることにより、掃除作業中に、掃除具である竹枝束６に対し筒状部材１およびこの筒状部材１に装着された操作柄が回転または移動することを、確実に防止することができる。これにより所期の掃除作業を円滑に進めることができる。
【００１８】
図３は、筒状部材１からなる着脱式清掃器材Ａを竹枝束６に取り付けた状態を示す正面図である。この竹枝束６は、筒状部材１の周囲の竹枝６ａを骨組み部として、さらにその周囲に、細めから太めの竹枝を順に重ね、針金７を利用して千鳥上に編み込んで形成される。
【００１９】
このとき、針金８の一部は、筒状部材１に設けられた前記ピン挿通孔７に通されるため、筒状部材１の周囲で竹枝束６が回転方向や上下方向へずれる（摺動する）ことはない。
【００２０】
図４は、前記竹枝束６に取り付けられた筒状部材１に、操作柄３を取り付けた状態を示す。操作筒８の先端外周には、図１に示すように、所定幅に亘って前記雌型螺条部２に螺合可能な雄型螺条部４が設けられている。この操作柄３は、雄型螺条部４を含む部分を合成樹脂によって形成することは任意である。
【００２１】
この操作柄３の先端部には、建物の外壁などに取り付けられた係止ピン等に係止して吊り下げるための孔１０が設けられている。また、この操作柄３を伸縮自在な構成とすることにより、掃除対象の場所や作業者の身長などに応じて調整することができ、何人も掃除を楽な姿勢で実施することができる。
【００２２】
図５および図６は、掃除具支持部材Ｂの一例を示す。この掃除具支持部材Ｂは、掃除具としての熊手を形成する熊手部材２０に取り付けられている。また、この掃除具支持部材Ｂは、前記筒状部材１と同様の筒状部材２１の下半部に、斜め方向に切断して形成したテーパ部２２を持つ形態をなす。この筒状部材２１には、前記同様の雌型螺条部２３、装着量規制部２４およびピン挿通孔２５が設けられている。なお、このピン挿通孔２５はテーパ部２２の先端部側と、交差する形で根本側にも穿設されている。
【００２３】
また、筒状部材２１の一端部の外周には、この一端部の開口を補強するリング状の突起２６が一体に設けられている。この突起２６の突出量は、図１に示した筒状部材１上のフランジに比べ十分に低く形成されている。
【００２４】
前記熊手は、筒状部材２１に扇形の熊手部材（掃除具）２７を取り付けたものであり、この熊手部材２７は複数本の割り竹２８を備えている。この割り竹２８は、基部を残して過半部を３等分に割って、先端に屈曲した爪部２９を形成した形態をなす。
【００２５】
この熊手部材２１は、前記テーパ部２２側に割り竹２８の基部を重ねて扇形に広げ、基部は重ねた収束部３０となっている。この収束部３０には前記同様のピン挿通孔２５が形成されており、このピン挿通孔２５に針金などが通されて、収束部３０に巻きつけた状態で、これらを一体的に固定している。さらに、その針金の上から幅広の締め具３１が巻装される。
【００２６】
各割り竹２８を３等分に割った部分には、その割り竹２８の表裏に竹製の挟持部材３２が当接され、樹脂被覆された化粧針金３３によって、これらの挟持部材３２の全長に亘って巻き締められている。さらに、挟持部材３２の中心部上面に、筒状部材２１が重ね合わされ、その上に円板状の座金３４を介して、釘３５が挿通されている。
この釘３５は、裏側の挟持部材３２の外側で曲げられている。これにより、熊手部材２０に筒状部材２１が固定される。
【００２７】
また、熊手部材２１のうち、挟持部材３２よりも前方の、例えば２箇所に化粧針金３６、３７を用いて、割り竹２８のうち３等分した部分を編み込むことで、それぞれの爪部２９がバラけるのを回避することができる。
【００２８】
そして、この構成の熊手を使用する場合には、前述と同様にして、操作柄３先端の雄型螺条部４を、筒状部材２１の雌型螺条部２３に螺合すればよい。
なお、前記では、掃除具が竹箒や熊手である場合を示したが、例えば床清掃用のモップ装置などにも、前記本実施形態の着脱式清掃器材を採用することは、任意である。
【００２９】
以上のように、本実施の形態は、伸縮性軽量パイプの操作柄を取り付ける掃除具に、操作柄に着脱自在に取り付け可能な筒状部材を装備する着脱式清掃器材であり、筒状部材が前記操作柄を挿入する開口端部にフランジを一体に形設していると共に、開口端部内周面には操作柄の先端を着脱可能に螺合する雌型螺条部が設けられてなり、操作柄が雌型螺条部に装着可能な雄型螺旋を先端に形設した筒状体からなり、この筒状体は複数の筒状体構成部材を収納延伸可能に構成したものからなる。
【００３０】
従って、掃除によって磨耗または損傷した竹枝束６などの掃除具が使用不可能になった場合などに、その竹枝束６から操作柄３のみを分離し、この操作柄３を新たに用意した掃除具に装着することができる。この結果、操作柄３は、必要に応じ寿命内において繰り返し再利用することができることとなる。任意に選んだ形状、サイズの操作柄を用いて、掃除時における使用感を最適にすることができる。
【００３１】
さらに、任意に選んだ形状、サイズの操作柄を用いて、掃除時における使用感を最適にすることができると共に、前記フランジによって、竹枝束の上端を揃えると共に、竹枝の脱抜を規制し、さらに装着量規制部と共に筒状部材の剛性をすることができる。
【産業上の利用可能性】
【００３２】
本考案の着脱式清掃器材は、掃除具が磨耗や損傷によって使用不能となった場合でも、新たに用意した掃除具に前記操作柄を付け替えることにより、その操作柄の操作による掃除が行えるという効果を有し、竹箒や熊手などの掃除具に対する操作柄の取り付けに用いる着脱式清掃器材等として有用である。
【図面の簡単な説明】
【００３３】
【図１】本考案の実施の形態による着脱式清掃器材を示す断面図である。
【図２】図１に示す着脱式清掃器材の正面図である。
【図３】図１に示す着脱式清掃器材に竹枝束を取り付けた状態の正面図である。
【図４】図１に示す着脱式清掃器材を用いた竹箒の正面図である。
【図５】本考案の実施の形態による着脱式清掃器材の他の例を示す断面図である。
【図６】図５に示す着脱式清掃器材の正面図である。
【図７】図５に示す着脱式清掃器材を熊手部材に取り付けた状態の正面図である。
【図８】図５に示す着脱式清掃器材を用いた熊手の正面図である。
【符号の説明】
【００３４】
１，２１…筒状部材、２，２３…雌型螺条部、５…装着量規制部、５…フランジ、７，２５…ピン挿通孔、６…竹枝束（掃除具）、３…操作柄、４…雄型螺条部、２６…リング状の突起、２０…熊手部材（掃除具）、２８…割り竹、３０…挟持部材、Ａ，Ｂ…掃除具支持部材
【図１】
0003139492.tif 000003
【図２】
0003139492.tif 000004
【図３】
0003139492.tif 000005
【図４】
0003139492.tif 000006
【図５】
0003139492.tif 000007
【図６】
0003139492.tif 000008
【図７】
0003139492.tif 000009
【図８】
0003139492.tif 000010